(57)【要約】【課題】段差面の凹設深さが異なるフロアパネルに対してフレームの共用化を図ることが可能なインナーコンセントの取付構造を得る。【解決手段】フロアパネル１の開口部２の周縁部上面が凹設されて段差面２ａが形成され、当該段差面２ａに載置された状態で取り付けられるフレーム１１を介して当該開口部２内にインナーコンセントが設置されるインナーコンセントの取付構造において、フレーム１１と段差面２ａとの間に枠状スペーサ２０を介在させて、当該フレーム１１の上端面１１ｇの高さを調節できるようにした。【選択図】図８
2008243550.tif 000002
【特許請求の範囲】
【請求項１】
フロアパネル開口部の周縁部上面が凹設されて段差面が形成され、当該段差面に載置された状態で取り付けられるフレームを介して当該開口部内にインナーコンセントが設置されるインナーコンセントの取付構造において、
前記フレームと前記段差面との間に枠状スペーサを介在させて、当該フレーム上面の高さを調節できるようにしたことを特徴とするインナーコンセントの取付構造。
【請求項２】
前記フレームに、前記枠状スペーサを保持する保持部を設けたことを特徴とする請求項１に記載のインナーコンセントの取付構造。
【請求項３】
前記保持部は、前記フレームの開口縁の対向部から対をなして垂設される垂下片と、当該垂下片の外側面に突設された保持突起と、を有し、
前記保持突起とフレーム下面との間に前記枠状スペーサが保持されるとともに、
前記フレームが取り付けられた状態で、前記垂下片が前記フロアパネル開口部の縁に沿って当該開口部内に垂下するようにしたことを特徴とする請求項２に記載のインナーコンセントの取付構造。
【発明の詳細な説明】
【技術分野】
【０００１】
本発明は、フロアパネルに形成された開口部内に収納状態で設置されるインナーコンセントの取付構造に関する。
【背景技術】
【０００２】
従来、この種のインナーコンセントの取付構造として、フロアパネルに形成された開口部の周縁部上面を凹設して段差面（鍔部）を形成し、その段差面にフレームを載置して取り付けることで、当該フレームに固定されたインナーコンセントが開口部内に設置されるようになっているものが知られている（例えば、特許文献１）。
【特許文献１】特許第３２７４８１５号公報
【発明の開示】
【発明が解決しようとする課題】
【０００３】
しかし、上記段差面のフロアパネル上面からの凹設深さがフロアパネルによって異なる場合があり、従来は、その凹設深さに合わせて高さ（厚み）が異なるフレームを複数種類準備して、凹設深さによらず、当該フロアパネル上面に対するフレーム上面の高さが略一定となるようにしていた。このためフレームの種類が増えることになり、結果的にフレーム、ひいては当該フレームを含むインナーコンセントのアセンブリとしてコストアップが余儀なくされてしまうという問題があった。
【０００４】
そこで、本発明は、段差面の凹設深さが異なるフロアパネルに対してフレームの共用化を図ることが可能なインナーコンセントの取付構造を得ることを目的とする。
【課題を解決するための手段】
【０００５】
請求項１の発明にあっては、フロアパネル開口部の周縁部上面が凹設されて段差面が形成され、当該段差面に載置された状態で取り付けられるフレームを介して当該開口部内にインナーコンセントが設置されるインナーコンセントの取付構造において、上記フレームと上記段差面との間に枠状スペーサを介在させて、当該フレーム上面の高さを調節できるようにしたことを特徴とする。
【０００６】
請求項２の発明にあっては、上記フレームに、上記枠状スペーサを保持する保持部を設けたことを特徴とする。
【０００７】
請求項３の発明にあっては、上記保持部は、上記フレームの開口縁の対向部から対をなして垂設される垂下片と、当該垂下片の外側面に突設された保持突起と、を有し、上記保持突起とフレーム下面との間に上記枠状スペーサが保持されるとともに、上記フレームが取り付けられた状態で、上記垂下片が上記フロアパネル開口部の縁に沿って当該開口部内に垂下するようにしたことを特徴とする。
【発明の効果】
【０００８】
請求項１の発明によれば、上記枠状スペーサの有無により、あるいは厚みの異なる複数種類の枠状スペーサを準備して段差面の凹設深さに対応する枠状スペーサを取り付けることにより、凹設深さによらず、一種類のフレームで、フロアパネルの上面に対するフレーム上面の高さを略一定にすることができる。すなわち、段差面の凹設深さが異なるフロアパネルに対してフレームの共用化を図ることが可能となる。
【０００９】
請求項２の発明によれば、保持部を用いて枠状スペーサをフレームに一体化させた状態でフロアパネルに取り付けることができ、取付作業をより容易に行うことが可能となる。
【００１０】
請求項３の発明によれば、垂下片に設けた保持突起によって枠状スペーサをより容易に一体化することが可能となる。また、その垂下片をフロアパネル開口部に対するフレームの位置決めあるいは取付ガイドとして利用することができ、その分、位置決めや取付ガイドを別途設ける場合に比べて構成を簡素化することが可能となる。
【発明を実施するための最良の形態】
【００１１】
以下、本発明の実施形態について図面を参照しながら詳細に説明する。図１は、本実施形態にかかるインナーコンセント取付構造を略上方から見た断面図、図２は、図１のII−II断面図、図３は、インナーコンセント取付構造の分解斜視図、図４は、フレームを斜め上方から見た斜視図、図５は、図１のV−V断面図、図６は、フロアパネルの開口部が形成された部分を下方（裏面側）から見た斜視図、図７は、インナーコンセントを設置する手順を（ａ）〜（ｃ）の順に示す斜視図、図８は、フレームを段差面上に載置した状態を示す断面図であって、（ａ）は段差面が浅い場合、（ｂ）は段差面が深い場合を示す図、図９は、フレームおよび枠状スペーサの分解斜視図、図１０は、枠状スペーサが一体化されたフレームを下面（裏面）側から見た斜視図である。
【００１２】
図１および図２に示すように、本実施形態にかかるインナーコンセント１０では、コンセント本体部１３を有する内部構造体１２が、フロアパネル１に形成された略矩形状の開口部２内（すなわち、開口部２の奥側）に収納された状態で設置されている。
【００１３】
かかる構造では、フロアパネル１の上面１ａが開口部２の周縁部分で凹設されて段差面２ａが形成されており、インナーコンセント１０のフレーム１１がこの段差面２ａ上に載置され、図３にも示すように、内部構造体１２は、このフレーム１１を介して設置されるようになっている。なお、図２には、フレーム１１が枠状スペーサ２０を介して段差面２ａ上に載置された場合が示されている。
【００１４】
フレーム１１は、開口部２の形状に沿う略矩形枠状に形成され、開口部２の段差面２ａ上に載置される底壁部１１ａと、この底壁部１１ａの外周縁部を上方に起立させた周壁部１１ｂと、を有しており、図２に示すように、このフレーム１１が開口部２の段差面２ａ上に設置された状態では、周壁部１１ｂの上端面（上面）１１ｇとフロアパネル１に敷設されるカーペット３の上面３ａとが略同じ高さ（面一）となるようにしてある。
【００１５】
内部構造体１２は、コンセント本体部１３と、このコンセント本体部１３が固定されるブラケットプレート１４と、開口部２内の底部および側部を覆う壁プレート１５と、を備えている。
【００１６】
本実施形態では、コンセント本体部１３およびブラケットプレート１４のサブアセンブリが相互に対向する位置に一対設けられている。
【００１７】
一対のブラケットプレート１４は、側面視でそれぞれの下部が互いに近付く状態で逆ハの字状に傾斜させて配置されており、これにより、コンセント本体部１３が斜め上方を指向し、プラグを差し込みやすくなる。
【００１８】
コンセント本体部１３は、ブラケットプレート１４に形成された矩形状開口１４ａに嵌着される。なお、本実施形態では、一方のコンセント本体部１３には、３極プラグ用の差込口１３ａが２箇所横並びに設けられている。
【００１９】
壁プレート１５は、図２および図３に示すように、二つのブラケットプレート１４間の隙間を塞ぐように、一対の側壁１５ａと底壁１５ｂとによって断面略Ｕ字状に折曲成形されており、この壁プレート１５によって、プラグ収容室Ｓの底面およびコンセント本体部１３が設置されない側面が形成される。側壁１５ａは、傾斜配置された二つのブラケットプレート１４の側辺に対応して、下方の幅が狭くなる略逆台形状に形成されるとともに、底壁１５ｂは、一対のブラケットプレート１４の下端縁間を塞ぐように略矩形状に形成されている。
【００２０】
また、インナーコンセント１０の非使用時には、図３に示すように、フレーム１１の底壁部１１ａ上に、周壁部１１ｂの内周に沿う外縁を有する略矩形板状の蓋部材１６が載置され、この蓋部材１６によってプラグ収容室Ｓが閉蓋されるようになっている。このとき、蓋部材１６の表面１６ａは、カーペット３の上面３ａおよびフレーム１１の周壁部１１ｂの上端面１１ｇと略同じ高さ（すなわち面一）となるようにしてある。
【００２１】
ところで、図４に示すように、フレーム１１の相互に対向する一対の底壁部１１ａには、それぞれ長穴状の取付穴（貫通穴）１１ｃが二箇所ずつ形成されており、それら取付穴１１ｃの形成部分には所定深さの凹設面１１ｄが形成される。また、取付穴１１ｃが形成されない相互に対向する他の一対の底壁部１１ａの内側縁には、それぞれ所定深さの段差部１１ｅが形成されている。
【００２２】
また、図６に示すように、段差面２ａには、フレーム１１の取付穴１１ｃに対応する部位に、雌ねじ穴２ｂが穿設されている。
【００２３】
さらに、図３に示すように、ブラケットプレート１４の上端部には、フレーム１１の凹設面（凹部）１１ｄに対応する部位に、外方に折曲される掛止部としてのフランジ片１４ｂが二箇所ずつ形成される。それらフランジ片１４ｂには長穴状の取付穴１４ｃが形成されるとともに、対を成すブラケットプレート１４の下端部には、図２に示すように、それぞれの対向方向に張り出す延設片１４ｄが形成される。フランジ片１４ｂはフレーム１１の凹設面１１ｄに配置されるが、その凹設面１１ｄの深さはフランジ片１４ｂの厚さと略等しく形成される。
【００２４】
一方、図５に示すように、壁プレート１５の側壁１５ａの上端部には、外方に折曲される第二の掛止部としての折曲片部１５ｃが形成される。この折曲片部１５ｃはフレーム１１の段差部（第２の凹部）１１ｅに配置されるが、その段差部１１ｅの深さは折曲片部１５ｃの厚さと略等しく形成される。
【００２５】
上記構成のインナーコンセント１０をフロアパネル１に設置する際には、まずは、図７（ａ）に示すように、フロアパネル１の開口部２に、上方から、底壁部１１ａと段差面２ａとが重なるようにしてフレーム１１を配置した後、図７（ｂ）に示すように、コンセント本体部１３を取り付けたブラケットプレート１４を開口部２から挿入し、当該ブラケットプレート１４のフランジ片１４ｂをフレーム１１の凹設面１１ｄに引っ掛けるようにして嵌合配置する。
【００２６】
そして、フランジ片１４ｂの取付穴１４ｃおよびフレーム１１の取付穴１１ｃに上方から止めねじとしてのビス１７を挿入し、そのビス１７をフロアパネル１の雌ねじ穴２ｂに螺合して締め付けることにより、フレーム１１およびブラケットプレート１４をフロアパネル１の開口部２の周縁部に固定する。
【００２７】
次に、図７（ｃ）に示すように、壁プレート１５を開口部２から挿入して、当該壁プレート１５の上端部の折曲片部１５ｃをフレーム１１の段差部１１ｅに引っ掛けるようにして嵌合配置するとともに、底壁１５ｂをブラケットプレート１４の延設片１４ｄにビス１８（図２参照）によって締め付けて固定する。
【００２８】
以上のようにしてインナーコンセント１０をフロアパネル１の開口部２にフレーム１１を介して設置することで、当該開口部２の内部に、一対のブラケットプレート１４および壁プレート１５によって囲まれたプラグ収容室Ｓが形成される。このとき、掛止部としてのフランジ片１４ｂおよび第２の掛止部としての折曲片部１５ｃの上面は、いずれも、フレーム１１の底壁部１１ａの上面と略面一になっている。
【００２９】
ところで、フレーム１１はフロアパネル１の開口部２の段差面２ａに載置され、上述したように、周壁部１１ｂの上端面１１ｇとカーペット３の上面３ａとが略同一高さとなるように設定されるが、図８に示すように、当該段差面２ａのフロアパネル１の上面からの凹設深さはフロアパネル１の仕様によって異なっており、例えば、図８（ａ）に示すように凹設深さＤ１が浅い場合と、図８（ｂ）に示すように凹設深さＤ２が深い場合とがある。
【００３０】
そこで、本実施形態では、図８（ａ）に示すように、フレーム１１の上面高さｈ、つまり、周壁部１１ｂの突出高さｈを、凹設深さＤ１の段差面２ａ上に載置する場合に対応させて形成しておく。すなわち、この場合の周壁部１１ｂの高さｈを、フロアパネル１の上面１ａから周壁部１１ｂの上端面１１ｇまでの垂直方向の距離としての高さｈを、カーペット３の厚さと略等しく設定しておく。
【００３１】
そして、凹設深さＤ２が深いフロアパネル１に対応させるにあたっては、図８（ｂ）に示すように、フレーム１１と段差面２ａとの間に、該フレーム１１の上面高さｈを調節する枠状スペーサ２０を介在させるようにしてある。
【００３２】
この枠状スペーサ２０は、図９に示すように、フレーム１１の底壁部１１ａの下面１１ｉ（図２，図５，図８参照）側の形状に合わせて略矩形状に形成されており、一定の厚みｔ（＝Ｄ２−Ｄ１）を有して当該底壁部１１ａの下面１１ｉに密着して配置されるようになっている。
【００３３】
そして、この枠状スペーサ２０には、フレーム１１に形成される取付穴１１ｃとほぼ重なるように長穴状の取付穴２０ａが形成されており、フレーム１１をフロアパネル１に取り付ける止めねじとしてのビス１７が、当該取付穴２０ａを貫通するようになっている。
【００３４】
さらに、その上面（フレーム１１の下面１１ｉとの当接面）には凸部２０ｂが設けられており、この凸部２０ｂが、フレーム１１の下面１１ｉに形成された凹部１１ｆ（図５）と嵌合することで、当該フレーム１１の下面１１ｉに沿う方向のずれが抑制されるようになっている。
【００３５】
また、本実施形態では、図８，図１０に示すように、フレーム１１には、枠状スペーサ２０を保持する保持部２１が設けられている。
【００３６】
保持部２１は、フレーム１１の開口縁１１ｈの対向部から対を成して垂設される垂下片２１ａと、それら垂下片２１ａの外側面に突起として設けられてフレーム１１との間に枠状スペーサ２０を挟み込む保持突起２１ｂと、を有している。
【００３７】
そして、図１０に示すように、枠状スペーサ２０をフレーム１１の下面１１ｉ側から垂下片２１ａに外装して一体化することができるようになっている。つまり、枠状スペーサ２０をフレーム１１に取り付けるべく、当該フレーム１１の下面１１ｉ側から近付けると、当該枠状スペーサ２０は保持突起２１ｂに干渉し、枠状スペーサ２０から押圧力を受けた垂下片２１ａが開口縁１１ｈの内側に向けて弾性的に撓む（曲がる）。さらにフレーム１１の下面１１ｉに近付けて密着させると、その時点で垂下片２１ａは弾性的に復元し、これにより、枠状スペーサ２０が保持突起２１ｂとフレーム１１の下面１１ｉとの間に保持される状態が得られる。また、保持突起２１ｂとフレーム１１の底壁部１１ａの下面１１ｉとの間の間隔は、枠状スペーサ２０の厚みｔと略等しく設定されている。
【００３８】
さらに、この垂下片２１ａは、図６に示すように、フロアパネル１の開口部２の縁に沿って、当該開口部２内に垂下するようになっている。
【００３９】
以上説明したように、本実施形態によれば、枠状スペーサ２０の有無により、段差面２ａの凹設深さによらず、一種類のフレーム１１で、フロアパネル１の上面１ａに対するフレーム１１の上面（上端面１１ｇ）の高さを略一定にすることができる。すなわち、段差面２ａの凹設深さが異なるフロアパネル１に対してフレーム１１の共用化を図ることが可能となる。よって、フレーム１１の製造コストを抑制し、ひいては、インナーコンセント１０の製造コストを抑制することができる。
【００４０】
また、本実施形態によれば、保持部２１を用いて枠状スペーサ２０をフレーム１１に一体化させた状態でフロアパネル１に取り付けることができ、取付作業をより容易に行うことが可能となる。
【００４１】
さらに、本実施形態によれば、垂下片２１ａに設けた保持突起２１ｂによって枠状スペーサ２０をより容易に一体化することが可能となる。また、その垂下片２１ａをフロアパネル１の開口部２に対するフレーム１１の位置決めあるいは取付ガイドとして利用することができる分、位置決めや取付ガイドを別途設ける場合に比べて構成を簡素化することが可能となる。
【００４２】
以上、本発明の好適な実施形態について説明したが、本発明は上記実施形態には限定されず、種々の変形が可能である。例えば、フレームおよび内部構造体の形状やコンセント本体部の数等は設置箇所や使用目的に応じて各種変更が可能である。
【００４３】
また、複数の凹設深さに対応するにあたっては、厚みの異なる複数種類の枠状スペーサを準備して段差面の凹設深さに対応する枠状スペーサを取り付けたり、枠状スペーサを複数積層して介在させるようにし、その積層枚数を調整したりすることも勿論可能である。
【図面の簡単な説明】
【００４４】
【図１】本発明の一実施形態にかかるインナーコンセント取付構造を略上方から見た断面図である。
【図２】図１のII−II断面図である。
【図３】本発明の一実施形態にかかるインナーコンセント取付構造の分解斜視図である。
【図４】本発明の一実施形態にかかるインナーコンセント取付構造のフレームを斜め上方から見た斜視図である。
【図５】図１のV−V断面図である。
【図６】本発明の一実施形態にかかるインナーコンセント取付構造が取り付けられたフロアパネルの開口部が形成された部分を下方（裏面側）から見た斜視図である。
【図７】本発明の一実施形態にかかるインナーコンセント取付構造の設置手順を（ａ）〜（ｃ）の順に示す斜視図である。
【図８】本発明の一実施形態にかかるインナーコンセント取付構造のフレームを段差面上に載置した状態を示す断面図であって、（ａ）は段差面が浅い場合、（ｂ）は段差面が深い場合を示す図である。
【図９】本発明の一実施形態にかかるインナーコンセント取付構造のフレームおよび枠状スペーサの分解斜視図である。
【図１０】本発明の一実施形態にかかるインナーコンセント取付構造の枠状スペーサが一体化されたフレームを下面（裏面）側から見た斜視図である。
【符号の説明】
【００４５】
１  フロアパネル
２  開口部
２ａ  段差面
１０  インナーコンセント
１１  フレーム
１１ｇ  上端面（上面）
１２  内部構造体
２０  枠状スペーサ
２１  保持部
２１ａ  垂下片
２１ｂ  保持突起
【図１】
2008243550.tif 000003
【図２】
2008243550.tif 000004
【図３】
2008243550.tif 000005
【図４】
2008243550.tif 000006
【図５】
2008243550.tif 000007
【図６】
2008243550.tif 000008
【図７】
2008243550.tif 000009
【図８】
2008243550.tif 000010
【図９】
2008243550.tif 000011
【図１０】
2008243550.tif 000012